(57)【要約】【課題】  本発明は、スライドレールが引き出された状態で、ロック装置の外れや、破損が起きにくく、かつ簡単な構造でコンパクトに構成でき、部品点数も少なく安価に製作でき、作業性、メンテナンス性にも優れるスライドレールのロック装置を提供することを課題とする。【解決手段】スライドレールのロック装置を、ロック部材に配設される係止片と、固定側レールに設けられた係合部が係合することによりロック状態を維持するものとし、スライドレールのロック状態において、中間レールを伸長方向に付勢する付勢手段を設け、ロック装置のロック状態を解除する操作部を、移動側レールの前部に設けるとともに、操作部を後側に押すことによってロック状態を解除させるようにする。【選択図】図１
2019063038.tif 000002
【特許請求の範囲】
【請求項１】
ラック等の本体に固定される固定側レールと、固定側レールに対し摺動自在に配設された中間レールと、中間レールに対し摺動自在に配設された移動側レールと、移動側レールの前端部に設けられたロック解除機構を備えたロック部材と、ロック部材に対応して、固定側レールの前端部に設けられた係合部よりなるスライドレールのロック装置であって、ロック装置は、ロック部材に配設される係止片と、前記係合部が係合することによりロック状態が維持されるもので、ロック装置のロック状態を解除するロック解除機構は、移動側レールの前方部より後方に向かって押圧させる操作部と、押圧させた操作部を復元させる付勢手段を備えたことを特徴とするスライドレールのロック装置。
【請求項２】
固定側レールの係合部は、固定側レールの少なくとも上下いずれかの折曲縁に設けられる係合孔で形成されることを特徴とする請求項１に記載のスライドレールのロック装置。
【請求項３】
スライドレールのロック状態において、中間レールあるいは移動レールを伸長方向に付勢する付勢手段を設けたことを特徴とする請求項１、あるいは、請求項２に記載のスライドレールのロック装置。
【発明の詳細な説明】
【技術分野】
【０００１】
本発明は、陳列棚等の棚板類が本体内に収納された状態を維持するスライドレールのロック装置に関するものである。
【背景技術】
【０００２】
従来、スライドレールのロック装置として数々のものが提供されている。
その代表的なものとして先行技術文献１（特許文献１）に示すように、ラック等の本体に固定される固定側レールと、固定側レールに対し摺動自在に配設された移動側レールと、移動側レールの前端部内面に設けられたロック片と、固定側レールの基板前端部に係止突起が形成される係止部材よりなるスライドレールにおいて、前記ロック片は、移動側レールの前方に突出する操作部材と、係止突起側に突出し前端が係止突起に係止する位置で、後端が係止突起から外れるように傾斜する係止突片と、係止突片の係止状態を維持する弾性部材を有し、移動側レールと平行に回動自在で、弾性部材によって常に係止突片が係止突起に係止する方向に維持されているものである。
【０００３】
すなわち、ロック装置は、ロック解除の棒状の操作部が移動側レールの前端より突出して設けられており、移動側レールの摺動に合わせて移動するため、スライドレールの引き出された状態においても、棒状に形成されたレバー状操作部が移動側レールの前端より突出した状態となっていた。そのため、棒状に突出している部分に人や物が接触して、ロック装置の外れや、破損につながることがあった。
【先行技術文献】
【特許文献】
【０００４】
【特許文献１】特開２０１５−２２９０３５公報
【発明の概要】
【発明が解決しようとする課題】
【０００５】
本発明は、スライドレールが引き出された状態で、ロック装置の外れや、破損が起きにくく、かつ簡単な構造でコンパクトに構成でき、部品点数も少なく安価に製作でき、作業性、メンテナンス性にも優れるスライドレールのロック装置を提供することを課題とする。
【課題を解決するための手段】
【０００６】
そこで、上記課題を解決する為、本発明が第１の手段として構成したところは、ラック等の本体に固定される固定側レールと、固定側レールに対し摺動自在に配設された中間レールと、中間レールに対し摺動自在に配設された移動側レールと、移動側レールの前端部に設けられたロック解除機構を備えたロック部材と、ロック部材に対応して、固定側レールの前端部に設けられた係合部よりなるスライドレールのロック装置であって、ロック装置は、ロック部材に配設される係止片と、前記係合部が係合することによりロック状態が維持されるもので、ロック装置のロック状態を解除するロック解除機構は、移動側レールの前方部より後方に向かって押圧させる操作部と、押圧させた操作部を復元させる付勢手段を備えたものである。
【０００７】
上記課題を解決する為、本発明が第２の手段として構成したところは、前記第１の手段に加え、固定側レールの係合部は、固定側レールの少なくとも上下いずれかの折曲縁に設けられる係合孔で形成されるものである。
【０００８】
上記課題を解決する為、本発明が第３の手段として構成したところは、前記第１の手段、あるいは第２の手段に加え、スライドレールのロック状態において、中間レールあるいは移動レールを伸長方向に付勢する付勢手段を設けたものである。
【発明の効果】
【０００９】
本発明の第１の手段として構成したところによると、ロック解除機構は、操作部が押圧操作式であるから、操作部が移動側レールの前端より前への突出量が、操作部が移動側レールの前方部より後方に向かって摺動する程度のみで済むので、操作部の突出量が少なくロック装置の外れや、破損につながることを防止できる。
【００１０】
本発明の第２の手段として構成したところによると、係合部が係合孔であるから、固定側レールの折曲縁に孔を開けるだけで良く、固定側レールには、スライドレールをロック状態とするための部材を別部材として取り付ける必要がなく、移動側レールのみに部材の取り付けが集中できるので、組み立て効率がよい。
【００１１】
本発明の第３の手段として構成したところによると、中間レールあるいは移動レール、すなわち、摺動する側のレールを伸長方向に付勢しているので、操作部を操作してロックを解除すると、付勢力によって摺動する側のレールが伸長し、ロック解除状態が維持される。そのため、一旦ロック解除すれば、操作部を操作せずとも移動側レールを引き出すことができるので、スライドレールの操作性が良い。
また、ロック状態においても、摺動する側のレールを伸長方向に付勢しているので、係止体の係止片と固定側レールの係合部の係合によるロック状態において、常に係止片を係合部に押圧させることができるため、ロック状態を確実に維持することが可能である。
【図面の簡単な説明】
【００１２】
【図１】本発明のスライドレールの伸長途中状態の固定側からの斜視図。
【図２】本発明のスライドレールの伸長途中状態の移動側からの斜視図。
【図３】スライドレールの基本断面図。
【図４】移動側レールとロック部材の要部分解斜視図。
【図５】固定側レールと付勢装置の要部分解斜視図。
【図６】スライドレールの要部の平面図。
【図７】ロック装置の説明図。
【図８】係止体の下側の係止片と固定側レールの下側折曲縁が接触した状態を示す説明図。
【図９】係止体の下側の係止片の下面が固定側レールの下側折曲縁の上面に載置している状態を示す説明図。
【図１０】スライドレールのロック状態の説明図。
【図１１】スライドレールのロック状態が解除された時の説明図。
【図１２】スライドレールの他の実施例を示すスライドレールの基本断面図。
【発明を実施するための最良の形態】
【００１３】
本発明は、ラック等の本体に固定される固定側レールと、固定側レールに対し摺動自在に配設された中間レールと、中間レールに対し摺動自在に配設された移動側レールと、移動側レールの前端部に設けられたロック解除機構を備えたロック部材と、ロック部材に対応して、固定側レールの前端部の上下折曲縁に孔状に設けられた係合部よりなるスライドレールのロック装置であって、ロック装置を、ロック部材に設けられる係止片と、前記係合部が係合することによりロック状態を維持するものとし、スライドレールのロック状態において、中間レールを伸長方向に付勢する付勢手段を設け、ロック装置のロック状態を解除するロック解除機構に、移動側レールの前方部より後方に向かって押圧させる操作部と、押圧させた操作部を復元させる付勢手段を備えたものである。
【実施例】
【００１４】
スライドレールの基本的構成を図１、図２、図３に基づいて説明する。
尚、実施例の説明において、便宜的に、スライドレールの伸長方向を前、スライドレールの収縮方向を後とする。したがって、スライドレールの摺動方向は前後方向と云う。そして前後方向を水平なＸ方向とした場合の、Ｘ方向に対して、垂直方向のＹ方向を上下方向と云う。
スライドレール１００は、陳列棚等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２より構成され、移動側レール２が固定側レール１に収納された状態を保持するロック部材６が、移動側レール２の前端部内面に設けられ、ロック部材６に係脱自在の係合部７が固定側レール１の前端部上下面に設けられている。（図１参照）
【００１５】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形を成し、摺動方向前部に、固定側ボール保持板３、中間レール４、移動側ボール保持板５等を介して、移動側レール２を最大引き出した状態で停止させ、スライドレール１００を最大伸長となすレール伸長時ストッパー１３が、基板１２の一部を移動側レール２方向に折り曲げて突出させて形成されており、基板１２の後端部は移動側レール２方向に折り曲げられて後端折り曲げ縁１４が形成されている。
そして、摺動方向後端部に、中間レール４を伸長側に付勢する付勢装置１０が取り付けられている。
【００１６】
中間レール４は、前記固定側レール１側に挿入されるインナー中間レール４ａと移動側レール２が挿入可能なアウター中間レール４ｂで形成されている。
インナー中間レール４ａは、固定側レール１より短長な金属製の細長条板の短手両端部を、外向き円弧状に折り曲げて、外面長手方向（摺動方向）にボール案内溝を有する上下折曲縁４２ａ、４２ａと、基板４１ａからなり、移動側レール２と同形状な断面略コ字形に形成されている。
アウター中間レール４ｂは、移動側レール２より短長な金属製の細長条板の短手両端部を内向き円弧状に折り曲げて、内面長手方向（摺動方向）にボール案内溝を有する上下折曲縁４２ｂ、４２ｂと、基板４１ｂからなり、固定側レール１と同形状な断面略Ｃ字形に形成されている。
そして、インナー中間レール４ａとアウター中間レール４ｂは、コ字状断面の開口側とＣ字形断面の開口側が互いに外向きとなるように基板４１ａ、４０ｂが背中合わせに固着され、断面略Ｉ字形となるように中間レール４が構成されている。
【００１７】
また、インナー中間レール４ａの基板４１ａの後端部に固定側レール１側に突出し、移動側レール２の引き出し時、固定側ボール保持板３の後端部に当接すると共に、移動側レール２の収納時、固定側レール１の付勢装置１０に当接するインナー中間レール後端ストッパー４４ａが形成される。
そして、アウター中間レール４ｂの基板４１ｂの後端部に移動側レール２側に突出し、移動側レール２の収納時、移動側レール２の後端部が当接するアウター中間レール後端ストッパー４４ｂが形成され、基板４１ｂの前端部付近に、移動側ボール保持板５の前端が当接するアウター中間レール前端ストッパー４５ｂが形成されている。
【００１８】
移動側レール２は、固定側レール１に対して付勢装置１０相当分短い長さで、金属製の細長条板の短手両端部を外向き円弧状に折り曲げて形成された外面長手方向（摺動方向）にボール案内溝を有する上下折曲縁２１、２１と、基板２２より固定側レール１に対向する断面略コ字形に形成されている。
そして、基板２２の後端部には、スライドレール１００の最大伸長状態で移動側ボール保持板５の後端に当接し、移動側レール２の収納時、前記アウター中間レール後端ストッパー４４ｂの内面に当接する移動側レール後端ストッパー２２０が形成されている。
【００１９】
固定側ボール保持板３は帯条金属板にてインナー中間レール４ａより所定寸法短くした、固定側レール１とインナー中間レール４ａ間に挿入可能な大きさの基板３１と、固定側レール１とインナー中間レール４ａの各上下折曲縁１１、１１、４２ａ、４２ａ間に位置する上下突出縁３２、３２より断面略コ字形に形成され、上下突出縁３２、３２の長手方向（摺動方向）数個所でボール３０・・・を回転自在に保持している。
【００２０】
移動側ボール保持板５は帯条金属板にてアウター中間レール４ｂより所定寸法短くした、移動側レール２とアウター中間レール４ｂ間に挿入可能な大きさの基板５１と、移動側レール２と中間レール４の各上下折曲縁２１、２１、４２ｂ、４２ｂ間に位置する上下突出縁５２、５２より断面略コ字形に形成され、突出縁５２、５２の長手方向（摺動方向）数個所でボール５０・・・を回転自在に保持している。
【００２１】
スライドレール１００は上記の如く構成され、移動側レール２が固定側レール１に最も収納された状態（最短縮小状態）では、インナー中間レール後端ストッパー４４ａが、固定側レール１の付勢装置１０の前面に当接し、移動側レール２の移動側レール後端ストッパー２２０がアウター中間レール後端ストッパー４４ｂの前面に当接し、移動側レール２１のロック部材６が固定側レール１の係合部７に係合している。
【００２２】
この状態から、ロック部材６の係合部７に対する係合状態を解除して、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパー２２０の前面が移動側ボール保持板５の後端に当接し、移動側ボール保持板５の前端がアウター中間レール前端ストッパー４５ｂの後面に当接し、インナー中間レール後端ストッパー４４ａの前面が固定側ボール保持板３の後端に当接し、固定側ボール保持板３の前端が、固定側レール１のレール伸長時ストッパー１３の後面に当接して、移動側レール２、中間レール４は停止し、スライドレール１００は最大伸長状態となる。
【００２３】
次に、第１実施例のロック装置を図４、図５に基づいて説明する。
第１実施例のロック部材６は、移動側レール２の基板２２に固定される取付基体６１と、取付基体６１に回動軸６２ａを介して上下方向に回動可能に取り付けられる係止片６２４を備えた係止体６２と、移動側レール２の上下折曲縁２１、２１と基板２２で形成される空間２３に抜け止めピン６３ａを介して前後方向に摺動可能に取り付けられる操作部６３と、取付基体６１と操作部６３間に設けられ前方向に付勢力を発する付勢部材６４で構成されている。
【００２４】
取付基体６１は、合成樹脂製で一体に成型され、移動側レール２の上下折曲縁２１、２１間に収まる上下高さで、基板２２から固定側レール１方向に向かって、上下折曲縁２１、２１より飛び出した厚みを有し、固定側レール１側から移動側レール２の基板２２に向かって貫通孔６１１が設けられ、前面側から後面側に向かって、付勢部材６４の一部が挿入される挿入孔６１２が設けられている。
【００２５】
そして、取付基体６１は、貫通孔６１１と移動側レール２の基板２２に設けられた取付孔２２ａを利用して、回動軸６２ａによって取付基体６１が移動側レール２に取り付けられる。尚、回動軸６２ａは、合成樹脂製のリベットであるが、該リベット止めに限らず、取付基体６１の移動側レール２の基板２２側にピン状の突起体を一体的に設けて、移動側レール２の基板２２の貫通孔２２ａに差込み固定する方法でもよい。
【００２６】
付勢部材６４は、圧縮コイルばねで、前後方向に水平になるように、後部側が取付基体６１の挿入孔６１２に挿入され、付勢力方向が前方向になるように配設される。
【００２７】
操作部６３は、移動側レール２の基板２２と、上下折曲縁２１、２１の内面に形成される膨出凸部２ａ、２ａとの間で形成される空間２３に挿入される基部６３１と、基部６３１の前面に形成されるプッシュ部６３２を有し、これらが合成樹脂材にて一体に形成されている。
【００２８】
基部６３１には、前記空間２３に挿入される部分の上下面に移動側レール２の上下折曲縁２１、２１の内面の膨出凸部２ａ、２ａに沿う形状とされ前後方向に長い上下摺動溝６３３、６３３が形成されている。
また、基部６３１の固定側レール１側の表面より移動側レール２の基板２２側に貫通する前後方向に長い小判型を成す長孔６３６が設けられている。
そして、基部６３１の後端部より後方に向かって上下面それぞれに、後方に向かって基部６３１の上下幅より狭くなるように、上面は下方に、下面は上方に傾斜がついた案内傾斜部６３４ａ、６３４ａを有する案内部６３４が形成され、案内部６３４の後面側には、前記付勢部材６４の一部が挿入される挿入凹部６３５が形成されている。
【００２９】
プッシュ部６３２は、移動側レール２の前端面部を塞ぐように板状に形成され、移動側レール２の上下高さと略同じ高さに設定されている。従って、プッシュ部６３２は、固定基部７２に対して、移動側レール２の上下折曲縁２１、２１の板厚分を付加した高さとなる。
【００３０】
このように構成された操作部６３は、次のように移動側レール２に取り付けられる。
まず、移動側レール２の前端面側から、空間２３に操作部６３の案内傾斜部６３４側を差し込むように入れ、基部６３１の上下摺動溝６３３、６３３が移動側レール２の膨出凸部２ａ、２ａに沿うように、挿入凹部６３５に、前述の通り水平に取り付けられた付勢部材６４の前部が挿入されるまで操作部６３を移動側レール２の空間２３に挿入する。
そして、抜け止めピン６３ａを固定側レール１側から、長孔６３６に挿入し、移動側レール２の基板２２の前端部付近に設けられた固定孔２２ｂを利用して固定する。
実施例における抜け止めピン６３ａは、合成樹脂製リベットであるが、金属製のリベットやネジ止め等に適宜変更してもよい。
【００３１】
この状態で、プッシュ部６３２は、移動側レール２の前方に位置し、前述のとおり移動側レール２に取り付けられた取付基体６１の前面と、基部６３１の後面間、移動側レール２の前端と、プッシュ部６３２の後面の間には、操作部６３が後方に摺動可能なように間隔が空くように設定されている。また、抜け止めピン６３ａは、操作部６３の長孔６３６に挿入されているため、操作部６３は長孔６３６の分だけ前後に移動可能である。
そして、基部６３１の上下摺動溝６３３、６３３が移動側レール２の膨出凸部２ａ、２ａに沿うように移動側レール２の空間２３に操作部６３が挿入されているため、上下摺動溝６３３、６３３と膨出凸部２ａ、２ａがガイドレールのとなり、操作部６３は前後にスムーズに摺動可能であるばかりか、操作部６３が空間２３の固定側レール１側の開口から脱落することを防止可能である。
【００３２】
他方、取付基体６１の前面と案内部６３４の後面間には、前述のとおり付勢部材６４が取り付けられていることから、付勢部材６４の付勢力により、操作部６３が常に前方に押し出される。そして、抜け止めピン６３ａが操作部６３の長孔６３６に挿入されているため、移動側レール２の前端から操作部６３が脱落することはない。
【００３３】
係止体６２は、平板金属板を曲げ加工して作成されるものであって、図４に示すように、前後に方向に長く上下方向に幅狭い細長な基材部６２１の後部側に固定側レール１側から移動側レール２側に向けて貫通する回動軸孔６２５が設けられ、基材部６２１の前後中間部の上下が、移動レール２側に折り曲げられ被案内片６２２、６２２とされ、基材部６２１の前部の上下が、移動レール２側に折り曲げられ係止腕部６２３、６２３とされ、係止腕部６２３の折曲げ端からそれぞれ上方と下方に折り曲げられ、係止片６２４、６２４が形成され、係止体６２は上下方向の中心で上下対称形に形成されている。
【００３４】
被案内片６２２、６２２は、前方から後方に向かって上下の被案内片６２２、６２２が近づくように上面は下方に、下面は上方に傾斜をつけて形成されている。そして、上下の被案内片６２２、６２２の前部の上下間隔は、操作部６３の基部６３１が挿通できる程度の高さに設定されている。また、固定側レール１、移動側レール２間に納まる寸法で形成されている。
【００３５】
係止片６２４は、上部側の係止腕部６２３の固定側レール１端から上方に曲げて形成された上部側の係止片６２４と、上部側の係止片６２４と上下対称に形成された下部側の係止片６２４を有するが、上下それぞれの係止片６２４、６２４の先端間の距離は、固定側レール１の上下折曲縁１１、１１間に内包可能な距離に設定されている。
また、上部側の係止片６２４の上端面の後部は、Ｒ状面とされ、下部側の係止片６２４も同様に下端面の後部がＲ状面とされる。
【００３６】
このように形成された係止体６２は、次のように移動側レール２に取り付けられる。
係止体６２の回動軸孔６２５側が後部、係止片６２４側が前部となるように、合成樹脂製のリベットである回動軸６２ａを回動軸孔６２５挿入し、回動軸６２ａ端から取付基体６１の貫通孔６１１に挿入し、回動軸６２ａの先端を、移動側レール２の取付孔２２ａに嵌合させることによって取り付けられる。
実施例における回動軸６２ａは、合成樹脂製リベットであるが、金属製のリベットやネジ止め等に適宜変更してもよい。
以上のように、移動側レール２の各部材が取り付けられてロック部材６は組み立てられる。
【００３７】
次に組み立てられたロック部材６の基本動作について詳述する。
図６に示すように、上下方向に回動自在に取り付けられた係止体６２は、基材部６２１、被案内片６２２、６２２が、平面視において、固定側レール１、移動側レール２間に納まるように取付基体６１に取り付けられる。
このように、取付基体６１は、付勢部材６４の支持に加え、係止体６２の移動側レール２と固定側レール１間における位置を決めるスペーサーの役割を有している。
そして、係止片６２４が固定側レール１の上下折曲縁１１、１１と重なるように位置する。
【００３８】
次に、ロック部材６は、ロック状態、あるいは、ロック解除しスライドレール１００を引き出した状態で、図７に示すように、係止体６２が回動軸６２ａを中心軸として自重で下方に回動し、上側の被案内片６２２の前端部が、操作部６３の上側の案内部６３４ａの後部に当接した状態となる。
この時、係止体６２の下側の係止片６２４の下端が、固定側レール１の下側の折曲縁１１の下面より若干下方に位置している。
【００３９】
この状態から、操作部６２のプッシュ部を後側に押すと、操作部６２は、付勢部材６４の付勢力に抗しながら、移動側レール２に対して後方に移動する。
操作部６２が後方に移動すると、操作部６３の上側の案内部６３４ａの傾斜面に沿って、係止体６２の上側の被案内片６２２の前端部が上方に持ち上げられ、操作部６３を完全に押し込んだ位置で、操作部６２の基部６３１が、係止体６２の上下被案内片６２２、６２２の前端部間に挿通し係止体６２は、上下対称の略水平状態となる。
以上が、ロック部材６の基本動作である。
【００４０】
係合部７は、固定側レール１の前端部近傍に設けられるもので、固定側レール１上下折曲縁１１、１１それぞれに設けられ、折曲縁１１を上下方向に貫通する貫通孔で、平面視において前後方向に細長い長方形に形成されている。係合部７の大きさは、前記係止片６２４が挿通可能な大きさとされる。
貫通孔の係合部７の前側端部、すなわち、折曲縁１１の端面が当接係止部７１として設定される。
【００４１】
付勢装置１０は、ケース体１０１と、ケース体１０１の内部に収容される付勢バネ１０２と、ケース体１０１内部を前後方向に摺動する摺動体１０３で構成されるものである。
【００４２】
ケース体１０１は、固定側レール１の上下折曲縁１１、１１間に納まる高さの箱体で前面側が開放されており内部空間１０１ａが開放前面から露呈し、内部空間１０１ａを摺動体１０３が前後方向に移動できるよう施され、ケース体１０１の後部側に、基板１２側から移動側レール２の方向に向かって縦細長状の固定貫通孔１０１ｂが設けられており、上下面にはそれぞれ、固定側レール１の上下折曲縁１１、１１内面に沿う形状とされる帯状膨出部１０１ｃ、１０１ｃが形成され、これらが一体に合成樹脂製で成型されている。
【００４３】
付勢バネ１０２は圧縮コイルばねで、ケース体１０１の内部空間１０１ａに付勢力方向が前方向になるように水平に配設されている。
摺動体１０３は、合成樹脂製でケース体１０１の内部空間１０１ａに納まる形態の立法体を成している。また摺動体１０３の後面から前面側に向かって付勢バネ１０２の前側の一部が収容されるキリ孔１０３ａが設けられ、付勢バネ１０２が内部空間１０１ａ内で無用に動かないように施されている。
【００４４】
そして、付勢装置１０は、次のように、固定側レール１に組み付けられる。
まず、摺動体１０３のキリ孔１０３ａに付勢バネ１０２の前部を挿入し、付勢バネ１０２が装着された摺動体１０３をケース体１０１の内部空間１０１ａにケース体１０１の前面から挿入する。この状態で、摺動体１０３の後部側約三分の一は、内部空間１０１ａに入っており、この時、付勢バネ１０３は完全に伸びた状態となるように付勢バネ１０３の長さ設定されている。したがって、摺動体１０３は、後部側三分の一が内部空間１０１ａに入った状態からでは付勢バネ１０３の付勢力は働かず、摺動体１０３は前方には飛び出さない。このようにして付勢装置１０は組み立てられる。
また、この状態から摺動体１０３の前面を後方に向かって押すと、付勢バネ１０３を圧縮しながら、摺動体１０３はケース体１０１の内部空間１０１ａ内を後方に摺動し、そして、付勢バネ１０３が完全に圧縮した状態の位置で移動が停止する。この状態で摺動体１０３の約五分の四が内部空間１０１ａに入っており、摺動体１０３の後方への押圧を止めると、付勢バネ１０３の付勢力により、摺動体１０３は前方に移動し、摺動体１０３の後部側約三分の一が内部空間１０１ａに入った元の状態にもどる。
【００４５】
組み立てられた付勢装置１０を、固定側レール１の断面略Ｃ字形を成した開口側から、ケース体１０１の固定貫通孔１０１ｂに、固定側レール１の後端折り曲げ縁１４が差し込まれるように、押圧しながら装着する。この時、ケース体１０１の帯状膨出部１０１ｃ、１０１ｃは、弾性変形しながら固定側レール１の上下折曲縁１１、１１内面に挿入され、挿入後に帯状膨出部１０１ｃ、１０１ｃは、弾性により元の形状に戻り固定側レール１の上下折曲縁１１、１１内面に沿う状態となる。
したがって、付勢装置１０は、固定貫通孔１０１ｂに後端折り曲げ縁１４が差し込まれているため、前後方向に不動で、帯状膨出部１０１ｃ、１０１ｃが上下折曲縁１１、１１内面に沿っているため、固定側レール１から簡単に外れることがない。このようにして付勢装置１０は、固定側レール１に組み付けられる。
【００４６】
第１実施例のロック部材６と係止部７は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００４７】
しかしながら、ロック部材６が、移動側レール２の前方に設けられ、係止部材７が固定側レール１の前方に設けられているので、移動側レール２と中間レール４の固定側レール１に対する収納順位にかかわらず、最終的には、ロック部材６の係止体６２の下側の係止片６２４のＲ状に形成された後端面と固定側レール１の下側の折曲縁１１の前端面が接触する（図８に示す状態。）。
【００４８】
さらに、移動側レール２を収納させると、係止片６２４のＲ状部の前記折曲縁１１の前端面と接触しているので、係止片６２４のＲ状部に沿って、係止体６２が上方に押し上げられ回動していく。そして、下側の係止片６２４下端が、下側の折曲縁１１の内面（上面）に載った状態で、移動側レール２が収納側に移動していく（図９に示す状態。）。
【００４９】
該ロック部材６の係止体６２の動きの過程と前後して、移動側レール２の移動側レール後端ストッパー２２０が、アウター中間レール後端ストッパー４４ｂに当接して、中間レール４は、移動側レール２に押されるように移動側レール２と合わせて収納されていく。
そして、中間レール４が、移動側レール２と合わせて収納されていくと、インナー中間レール後端ストッパー４４ａ後面が、付勢装置１０の摺動体１０３の前面に当接する。
【００５０】
さらに、移動側レール２を収納させると、摺動体１０３は、中間レール４に押圧されながら、付勢バネ１０２の付勢力に抗して後側に摺動する。
最終的に移動側レール２が移動しスライドレール１００が最収納状態となり、この時に、前記下側の係止片６２４が、固定側レール１の係合部７と重なり、係合部７は貫通孔であるから、係止体６２の自重で係止体６２が下側の回動し、下側の係止片６２４が係合部７に入り、係止片６２４と係合部７が係合する（図１０に示す状態。）。
尚、この状態で、係止体６２の上側の被案内片６２２の前端部が、操作部６３の上側の案内部６３４ａの後部に当接した姿勢となる。
【００５１】
このように、インナー中間レール後端ストッパー４４ａの後端が、摺動体１０３の前面に当接し、移動側レール後端ストッパー２２０の後端がアウター中間レール後端ストッパー４４ｂの前面に当接し、係止体６２の係止片６２４の前面が、固定側レール１の係合部７の前端に当接し、収納係止状態、すなわちロック状態となる。
このロック状態において、中間レール４は付勢装置１０により前方に移動するように付勢されているため、該付勢力は中間レール４を介して移動側レールにも働くため、付勢力によって、係止体６２の係止片６２４の前面を、固定側レール１の係合部７の前端の当接係止部７１に確実に当接させることができる。
そのため、前述の係止片６２４が、係止部７に対して収納側に通過した状態時より、付勢力により移動側レールは若干前方に移動して、図１０に示す係止片６２４と係合部７の係合状態となる。
【００５２】
前述のとおり、本件実施例のロック装置は、上下対称形に形成されているため、スライドレール１００を対向配置となる左右で兼用して使用することが可能となる。左右兼用であるため、メンテナンス用の部品の管理も左右で分ける必要がなく部品管理効率がよくなる利点もある。
当然ながら、ロック装置を上下対称形に形成せずに右用、左用の両方を用意することもできる。この場合、係止片６２４や係合部７は下側のみでよい。
【００５３】
次に、ロック状態から、例えば棚板と連結された移動側レール２を引き出すときは、ロック部材６の操作部６３のプッシュ部６３２を前方から後方に向かって押す。
ロック状態では、前述のとおり、係止体６２の上側の被案内片６２２の前端部が、操作部６３の上側の案内部６３４ａの後部に当接した姿勢となっているから、プッシュ部６３２が押されると、操作部６３が付勢バネ１０２の付勢力に抗して後側に摺動し、該摺動のより案内部６３４ａに当接している係止体６２の上側の被案内片６２２の前端部が、案内部６３４ａの傾斜面に沿って上方に押し上げられ、係止体６２は上方に回動する。
そして、操作部６３をもっとも押し込んだ状態で、係止体６２は略水平状態となり、係止片６２４が係合部７から外れる。（図１１に示す状態。）
この時、前述のとおり、中間レール４は付勢装置１０により前方に移動するように付勢されているため、プッシュ部６３２の押す力により、中間レール４も付勢装置１０の付勢力に抗して若干後方に摺動する。
【００５４】
係止片６２４が係合部７から外れると、すなわち、係止片６２４と係合部７の係合状態が解除された状態でプッシュ部６３２の押圧をやめると、付勢装置１０の付勢力によって、下側の係止片６２４が再度係合部７に入り込むより早く中間レール４が前方に押し出される。中間レール４が前方に押し出されると、移動側レール後端ストッパー２２０の後端がアウター中間レール後端ストッパー４４ｂの前面に当接しているから、移動側レール２も前方に移動し、係止体６２の下側の係止片６２４下端が、固定側レール１の下側の折曲縁１１の内面（上面）に載った状態で停止し、この状態でロック解除されたこととなる（図９に示す状態と同じ。）。この時、操作部６３は、付勢部材６４の付勢力によって前方に移動し元の状態となっている。
したがって、付勢装置１０を有している場合は、ロック状態から、左右のプッシュ部６３２押すだけで、ロック解除される。ロック解除後、そのまま、棚板を引き出すと、移動側レール２は最大伸長まで引き出され停止する。
【００５５】
このように、ロック解除操作は、操作部６３押すだけでよく、操作部６３を押す量も、係止片６２４が係合部７から外れるだけ係止体６２を上方に上げるだけでよいので、大きな量が必要なく、操作部６３の移動側レール２の前端からの飛び出しを小さくすることが可能である。
【００５６】
本ロック装置は、付勢装置１０が無くともロック状態とすることが可能であるが、この場合は、ロック解除させる際、左右の操作部６３を押した状態を維持したまま棚板等の移動部材を引き出すこととなるので、付勢装置１０を備えたほうが使い勝手がよい。
【００５７】
本スライドレールのロック装置は、本実施例のスライドレール形態だけでなく、図１２に示すアウター中間レールをインナー中間レールと同断面形状とし、移動側レールを固定側レールと同断面形状に形成したスライドレールであってもよい。
【００５８】
本スライドレールのロック装置は、本実施例のように、係止片６２４の下向きの回動を自重によって行う方法だけでなく、トーションばね等を使って、通常はロック状態の位置になるように係止片６２４の角度を保つ方法でもよい。
この場合、ロック状態への移行時の、係止片６２４のＲ状部が折曲縁１１の前端面と接触した状態から、係止片６２４のＲ状部に沿って、係止体６２が上方に押し上げられ回動していく時、トーションばねの付勢力に抗しながら係止体６２が上方に押し上げられ回動する。また、ロック解除時は、操作部６３のプッシュ操作によりトーションばねの付勢力に抗しながら係止体６２が上方に押し上げられ回動する。
このようにすると、スライドレール（固定側レール）の基板１２が垂直となる縦使いだけではなく、スライドレール基板１２が水平となる横使いのスライドレールでも使用可能である。
【符号の説明】
【００５９】
１００  スライドレール
１        固定側レール
１０      付勢装置
２        移動側レール
４        中間レール
４ａ      インナー中間レール
４ｂ      アウター中間レール
６        ロック部材
６２      係止体
６２２    被案内片
６２４    係止片
６３      操作部
６３２    プッシュ部
６３３    上下摺動溝
６３４ａ  案内傾斜部
６４      付勢部材
７        係止部
【図１】
2019063038.tif 000003
【図２】
2019063038.tif 000004
【図３】
2019063038.tif 000005
【図４】
2019063038.tif 000006
【図５】
2019063038.tif 000007
【図６】
2019063038.tif 000008
【図７】
2019063038.tif 000009
【図８】
2019063038.tif 000010
【図９】
2019063038.tif 000011
【図１０】
2019063038.tif 000012
【図１１】
2019063038.tif 000013
【図１２】
2019063038.tif 000014